(57)【要約】      （修正有）【課題】布団の高さに限りなく近づけることで介護ベッドからの転落事故を防止するために低床介護ベッドを提供する。【解決手段】超低床介護ベッドにパンタグラフ機構を用いることにおいて、パンタグラフの開き角度が大きくなる際の横揺れを防止するため、パンタグラフの開き角度を小さくし、高めの基台５を設け、その基台５の上に横揺れ防止兼用滑車支柱１１、昇降駆動部及びパンタグラフ機構を設置する。基台５の下に床フレームの接床の高さ調整を兼ねた固定足４を設置し、パンタグラフ機構上段の上部固定バーから吊り下がった床フレーム吊り金具の下部に床フレームを固定し、パンタグラフがモーター１２又はアクチュエーターによって開閉することにより床フレームが床フレーム下０ｃｍから６０ｃｍまで無段階に昇降することからなる。【選択図】図３
0003197699.tif 000002
【実用新案登録請求の範囲】
【請求項１】
超低床介護ベッドにパンタグラフ機構を用いることにおいて、パンタグラフの開き角度を出来るだけ小さくすることが大事である。大きくなると横揺れが生じる。横揺れを防止するには材質を厚くする等の工夫をすればよいが厚くすることによって重量が増す。またあまりにも角度を小さくすると昇降機構を組み合わせることに難点がある。その為に最適なパンタグラフの組み合わせは２段が最適である。さらに横揺を兼ねた滑車支柱を設け、さらにパンタグラフが開くのを最小限に止めるため基台を高めに設定しその上にパンタグラフ及び昇降用機構を設定する。その下に固定足及びキャスターを取り付けるスペースを設け、床フレーム３を床に着けるためにパンタグラフ機構の上部固定バー及び床フレーム吊り金具１８を固定し、その下部に床フレーム３を吊り下げることを特徴とする。
【考案の詳細な説明】
【技術分野】
【０００１】  本考案は介護ベッドの床フレームをゆかまで降ろす昇降機の構造に係る。
【技術背景】
【０００２】  従来から介護用ベッドを低床化して転落等の事故を防ぐ工夫をしてきたが、さらに超低床化が課題になっている。
【０００３】  例えば、伸縮可能なスライド脚を備えた構造等用いて実施しようとするが、伸縮スライド脚の構造が複雑である。（特許文献１）
【先行技術文献】
【特許文献】
【特許文献１】特許第４０１３８０５
【考案の概要】
【考案が解決しようとする課題】
【０００４】  しかしながら、文献１のような構造だと２段の伸縮脚のみを用いているので、ゆかにベッドフレームが付くまで降ろすと、介護時に上昇させる時ベッドフレームの丈は脚（文献１の下ブロック２１）の高さと内側に重なる脚（文献１の上ブロック２２）が重ならなければならないのでその分脚（下ブロック２１）の長さが長くなる。【０００５】  従って、文献１においては介助に必要な最高位が文献１の下ブロック２１の高さから上ブロック２２が重なる分を差し引いた高さまでしか上げられず、通常介助時に必要な高さ（６０ｃｍ以上）を確保するとなると、下ブロックの高さは６５ｃｍ以上にして下ブロック２１と上ブロック２２の重なる部分を設けなければならない。【０００６】  また文献１に示すようにヘッドボード及びフッドボードの圧迫感をなくすとしているが、それを可能にするには５項に述べたように介護時の高さを確保するため下ブロック２１と上ブロック２２の長さが長くなる分ボードは高くなる。また布団のように床に付くようにするには基台があるため昇降フレーム１２は床に付くことが出来ない。【０００７】  従来の介護ベッドの床フレームの高さは２０ｃｍないし２５ｃｍ位が標準的であるため、介護ベッドの使用時に起こる転落事故等の事故が多発している。【０００８】  転落の心配のある療養者は通常布団を使用して転落を防止している。しかし布団だと、介助時に介助者の腰に負担になるだけでなく床に直接敷くので不衛生を指摘されている。
【課題を解決する為の手段】
【０００９】  本考案は複雑な伸縮脚を用いず、パンタグラフ状の構造を用いた。
【００１０】  更に昇降用アクチュエーター２６又は巻き上げ用モーター１２をパンタグラフ状の中に用いる工夫を凝らし、パンタグラフ状の上部で上部固定バー１７から吊るされた床フレーム吊り金具１８床フレーム３を吊るようにした。
【本考案の効果】
本考案のパンタグラフ状の構造に巻き上げようモーター１２又はアクチュエーター２６を用いることにより、床フレーム３の高さから６５ｃｍまで吊り上げる事が可能になる。
【考案を実施する為の形態】
【００１１】  以下、本考案の低床介護ベッドの構造をその実施の最良の形態について図面に示す実施例に基づいて具体的に説明する。
【００１２】  図１は本考案の一実態形態であるベッドの概略斜視図である。一般的な介護ベッドでは圧迫感を感じさせないボード１及び２の高さは５５ｃｍ以下である。。
【００１３】  図２は昇降作動におけるベッド本体を示す概略斜視図ある。昇降駆動部のモーター１２でチェーン１４を巻き上げるとパンタグラフ    ６ａが上昇するとともに、パンタブラフが開き、床フレームが上昇し、それに固定された床フレーム掛けフック２１に掛った床フレーム３が上昇する。
【００１４】  図３は図１の作動説明概略図であって床フレーム３の最下降時を示す。その時点で床フレーム３は床に付く。
【００１５】  図４は図２の最上位作動概略図であって、床フレーム３を吊るす床フレーム吊り金具１８の上昇時を示す。上昇時に床フレーム掛け金具２１に固定ネジ２２で固定された床フレーム３は無段階で６５ｃｍまで上げられる。
【００１６】  図５は図２、図３及び図４の本体における駆動部を示す拡大概略図である。本体駆動部の上下によってチェーン１４及びワイヤー１３でパンタグラフの接続シャフト９を引き上げることでパンタグラフが開き図３及び図４のように上下する。滑車支柱１１（またはアクチュエーター２６のストローク）の長さは図３のように下降した状態で、基台５から上部バー１７の長さ内であり、その範囲で上下させるようになっている。
【００１７】  図６は昇降駆動部の詳細図である。滑車支柱はパンタグラフ金具６の内側に接触しているのでパンタグラフ６ａ及び６ａ’の横揺れ防止機能も備えている。
【００１８】  図７は床フレーム３を床フレーム掛けフック２１に床フレームフック２０を掛けた概略図である。床フレーム３は床フレーム吊り金具１８に固定ネジ２２で固定する。
【００１９】  図８は基台３及び上部固定バー１７の固定方法及びローラー２５ａの取り付け概略図である。パンタグラフ金具６ａの一方を基台５の固定金具７ａ及び上部固定バー１７の固定金具７ｂに固定し、もう一方の先端にローラー２５ａ及びローラー２５ｂを取り付けて、昇降駆動部の上下によってローラー部分が左右に移動することによりパンタグラフが開閉し、床フレーム３も上下する。
【００２０】  図９は駆動部にアクチュエーター２６を用いた概略図である。
【図面の簡単な説明】
【００２１】
【図１】  図１はベッドの最下降時の斜視概略図
【図２】  図２は最昇降時の概略図
【図３】  図３は再下位作動概略図
【図４】  図４は最上位作動概略図
【図５】  図５は昇降駆動部の拡大簡略図
【図６】  図６は昇降駆動部の詳細図
【図７】  図７はベッドフレーム取り付け概略図
【図８】  図８はパンタグラフの取り付け概略図
【図９】  図９はアクチュエーター取り付け概略図
【符号の説明】
【００２２】１．  ヘッドボード
２．  フットボード
３．  床フレーム
４．  固定足
５．  基台
６ａ．  下部パンタグラフ金具
６ａ’  下部パンタグラフ金具
７ａ，７ｂ  上部パンタグラフ金具
８ａ，８ｂ  ローラー用金具
９．  パンタグラフ接続金具
１０．  滑車支柱取り付け金具
１１．  滑車支柱
１２．  モーター
１３．  ワイヤー
１４．  チェーン
１５．  スプロケットギャー
１６．  滑車
１７．  上部固定バー
１８．  床フレーム吊り金具
１９．  横揺れバー
２０．  床フレーム掛けフック
２１．  床フレーム掛け金具
２２．  固定ネジ
２３．  ローラー固定シャフト
２４．  パンタグラフ固定シャフト
２５ａ．  ローラー
２６．  アクチュエーター
２７．  滑車取り付け板固定ネジ
【図１】
0003197699.tif 000003
【図２】
0003197699.tif 000004
【図３】
0003197699.tif 000005
【図４】
0003197699.tif 000006
【図５】
0003197699.tif 000007
【図６】
0003197699.tif 000008
【図７】
0003197699.tif 000009
【図８】
0003197699.tif 000010
【図９】
0003197699.tif 000011
【手続補正書】
【提出日】平成27年3月11日(2015.3.11)
【手続補正１】
【補正対象書類名】実用新案登録請求の範囲
【補正対象項目名】全文
【補正方法】変更
【補正の内容】
【実用新案登録請求の範囲】
【請求項１】
超低床介護ベッドにパンタグラフ機構を用いることにおいて、パンタグラフの開き角度が大きくなると横揺れが生じ、その横揺れを防止するために出来る限りパンタグラフの開き角度を小さくするために高めの基台（５）を設け、その基台（５）の上に横揺れ防止兼用滑車支柱（１１）、昇降駆動部及びパンタグラフ機構を設置し、基台（５）の下に床フレーム（３）の接床の高さ調整を兼ねた固定足（４）を設置し、パンタグラフ機構上段の上部固定バー（１７）から吊り下がった床フレーム吊り金具（１８）の下部に床フレーム（３）を固定し、パンタグラフがモーター（１２）又はアクチュエーター（２６）によって開閉することにより床フレーム（３）が床フレーム（３）下０ｃｍから６０ｃｍまで無段階に昇降することからなる超低床介護ベッド。